(57)【要約】【課題】鏡筒の上下位置や角度及び鏡筒間の間隔を調節し易い拡大鏡を提供する。【解決手段】眼鏡装着用のアダプター２にヒンジ接続された第１の軸カバー３と、軸カバー３に往復動作可能に保持され、先端側が軸カバー３から突出すると共に後端側にねじ部を有するスライド軸４と、スライド軸４のねじ部と螺合し、回転することでスライド軸４を往復動作させる位置調節つまみ５と、スライド軸４に接続されたアーム６と、アーム６に接続された第２の軸カバー７と、軸カバー７に回転可能に保持されて眼幅方向に伸延し、眼幅方向の右左で互いに逆ねじの螺旋溝が周面に形成されている支持軸８と、支持軸８の端部に設けられた間隔調節つまみ９と、支持軸８を囲繞すると共に螺旋溝に挿入されるガイドピンが内側へ突出している２つのハンガー１０と、ハンガー１０に固定された２つの鏡筒１１と、を含んで構成される拡大鏡。【選択図】図１
2011002642.tif 000002
【特許請求の範囲】
【請求項１】
眼鏡フレームに嵌合するアダプターと、
該アダプターにヒンジ接続されて上下方向に回動可能な第１の軸カバーと、
該第１の軸カバーに眼幅方向と交差する方向へ往復動作可能に保持され、先端側が前記第１の軸カバーから突出すると共に後端側にねじ部を有するスライド軸と、
前記第１の軸カバーに回転可能に保持されて前記スライド軸のねじ部と螺合し、回転することにより前記スライド軸を往復動作させる位置調節つまみと、
前記スライド軸の先端部に一端部がヒンジ接続された少なくとも１つのアームと、
該アームの他端部に接続された第２の軸カバーと、
該第２の軸カバーに保持され、眼幅方向に伸延する支持軸と、
該支持軸に支持された２つの鏡筒と、
を含んで構成される拡大鏡。
【請求項２】
前記支持軸は、前記第２の軸カバーに回転可能に保持され、眼幅方向の右側と左側とで互いに逆ねじとした螺旋溝が周面に形成されており、
前記鏡筒は、前記支持軸を囲繞すると共に前記螺旋溝に挿入されるガイドピンが内側へ突出しているハンガーに固定されている、
請求項１記載の拡大鏡。
【請求項３】
眼鏡フレームに嵌合するアダプターと、
該アダプターから延設された２関節以上のアーム機構と、
該アーム機構の先端部に接続された軸カバーと、
該軸カバーに回転可能に保持されて眼幅方向に伸延し、眼幅方向の右側と左側とで互いに逆ねじとした螺旋溝が周面に形成されている支持軸と、
該支持軸の端部に設けられた間隔調節つまみと、
前記支持軸を囲繞すると共に前記螺旋溝に挿入されるガイドピンが内側へ突出している２つのハンガーと、
該ハンガーにそれぞれ固定された２つの鏡筒と、
を含んで構成される拡大鏡。
【請求項４】
前記アダプターの嵌合面に凸部又は凹部が少なくとも１つ突設されており、
該アダプターを嵌合させる前記眼鏡フレームの嵌合受け面に、前記凸部又は凹部と係合する複数の凹部又は凸部が上下方向に並べて形成されている、
請求項１〜３のいずれか１項に記載の拡大鏡。
【発明の詳細な説明】
【技術分野】
【０００１】
本発明は、眼鏡に取り付けて使用する医療用の拡大鏡に関する。
【背景技術】
【０００２】
例えば歯科医の診療において患者の口腔内を拡大するために、眼鏡に取り付けた拡大鏡が使用される（特許文献１〜３）。当該拡大鏡は、眼鏡フレームへの装着部から延設された２関節以上のアーム機構の先端に、眼幅方向へ伸延した支持部が接続され、この支持部によって、対物及び接眼レンズの光学系を収納した双眼の鏡筒が支持されている。２つの鏡筒は、アーム機構を関節で屈伸させることにより下目使い用に角度調節することができ、また、支持部に沿ってスライドさせることにより鏡筒間の間隔を瞳孔間隔に合わせて調節することができる。
【先行技術文献】
【特許文献】
【０００３】
【特許文献１】特開２００１−３５０１２３号公報
【特許文献２】特開２００３−２９５１２８号公報
【特許文献３】特開２００５−２５７８０２号公報
【発明の概要】
【発明が解決しようとする課題】
【０００４】
上記拡大鏡において、鏡筒の目に対する上下位置を調節するには、アーム機構を屈伸させて調節する必要がある。しかし、アーム機構の関節は、角度や位置を調節した後の鏡筒の状態を維持するために動きを固くせざるを得ないので、顔にかけた状態での微妙な上下位置の調節はやり難い。
【０００５】
また、２つの鏡筒間の間隔調節について、上記拡大鏡は、ねじを緩めて鏡筒をスライドさせ、間隔調節後にねじを締めて固定する仕組みになっている。これもまた、ねじを緩めて間隔調節した後にねじを締めるという操作が顔にかけた状態ではやり難い。特に、特許文献３に記載された拡大鏡のように、鏡筒の接眼側にある固定リングを回すような構造では、顔にかけた状態で鏡筒を覗きながら間隔調節するのは無理である。
【０００６】
以上の背景に鑑みると、アーム機構を屈伸させずに鏡筒の上下位置を調節できる拡大鏡が望まれる。また、鏡筒間の間隔を調節し易い拡大鏡が望まれる。
【課題を解決するための手段】
【０００７】
上記課題に対して提案する第１の拡大鏡は、
眼鏡フレームに嵌合するアダプターと、
該アダプターにヒンジ接続されて上下方向に回動可能な第１の軸カバーと、
該第１の軸カバーに眼幅方向と交差する方向へ往復動作可能に保持され、先端側が前記第１の軸カバーから突出すると共に後端側にねじ部を有するスライド軸と、
前記第１の軸カバーに回転可能に保持されて前記スライド軸のねじ部と螺合し、回転することにより前記スライド軸を往復動作させる位置調節つまみと、
前記スライド軸の先端部に一端部がヒンジ接続された少なくとも１つのアームと、
該アームの他端部に接続された第２の軸カバーと、
該第２の軸カバーに保持され、眼幅方向に伸延する支持軸と、
該支持軸に支持された２つの鏡筒と、
を含んで構成される。
【０００８】
また、上記課題に対して提案する第２の拡大鏡は、
眼鏡フレームに嵌合するアダプターと、
該アダプターから延設された２関節以上のアーム機構と、
該アーム機構の先端部に接続された軸カバーと、
該軸カバーに回転可能に保持されて眼幅方向に伸延し、眼幅方向の右側と左側とで互いに逆ねじとした螺旋溝が周面に形成されている支持軸と、
該支持軸の端部に設けられた間隔調節つまみと、
前記支持軸を囲繞すると共に前記螺旋溝に挿入されるガイドピンが内側へ突出している２つのハンガーと、
該ハンガーにそれぞれ固定された２つの鏡筒と、
を含んで構成される。
【発明の効果】
【０００９】
上記提案に係る第１の拡大鏡は、位置調節つまみを回転させると、その回転方向に従って、スライド軸を眼幅方向と直交する方向に往復動作させることができる。このスライド軸の動作に伴って鏡筒の位置が動くので、顔にかけた状態において、位置調節つまみを指で回すだけで鏡筒の上下位置を調節することができる。
【００１０】
また、上記提案に係る第２の拡大鏡は、間隔調節つまみにより支持軸を回転させると、その周面の螺旋溝に案内されて、２つのハンガーが眼幅方向に往復動作する。螺旋溝は、左右の側で逆ねじになっているので、２つのハンガーは、支持軸の回転方向に従って離間又は接近する。したがって、顔にかけた状態において、間隔調節つまみを指で回すだけで鏡筒の間隔を調節することができる。
【図面の簡単な説明】
【００１１】
【図１】拡大鏡の実施形態を下目使い用の状態で示した斜視図。
【図２】拡大鏡の実施形態を正視用の状態で示した斜視図。
【図３】拡大鏡のパーツを説明するための分解図。
【図４】鏡筒の上下位置を調節するための位置調節機構を説明する図。
【図５】アダプターと眼鏡フレームとの嵌合部分を説明する図。
【図６】鏡筒の間隔を調節するための間隔調節機構を説明する図。
【発明を実施するための形態】
【００１２】
図１及び図２に、拡大鏡の実施形態を示す。図示の拡大鏡１は、当該拡大鏡１専用に製造した眼鏡Ｇに装着した状態で示されている。図３には、その分解図を示してある。本実施形態に示す眼鏡Ｇは、シールドを取り外し可能で、シールドを取り外した場合には、近視用等の別の眼鏡等を装着して併用することもできる。また、鼻当ても交換式である。
【００１３】
拡大鏡１は、眼鏡フレームＧ１の中央部分（眉間の部分）に形成された嵌合受け部にアダプター２を嵌合させることにより、眼鏡Ｇに装着される。アダプター２には第１の軸カバー３がヒンジ接続され、上下方向に９０°程度の範囲で回動する。この回動可能な第１の軸カバー３内に、スライド軸４が、眼幅方向と交差する方向を軸方向として、往復動作可能に保持されている。スライド軸４は、先端側が第１の軸カバー３から突出し、後端側が第１の軸カバー３内で位置調節つまみ５に螺合している。スライド軸４の先端部にはアーム６の一端部がヒンジ接続され、このアーム６の他端部に、第２の軸カバー７がヒンジ接続される。スライド軸４と第２の軸カバー７との間がアーム６で接続されることにより、アダプター２から延設された２関節のアーム機構が構成されている。アーム数を増やせば、さらに関節数を増やすこともできる。
【００１４】
第２の軸カバー７は、眼幅方向に伸延する支持軸（図３参照）８を回転可能に保持する。眼幅方向を軸方向として第２の軸カバー７に保持された支持軸８の両端部には間隔調節つまみ９が取り付けられ、該間隔調節つまみ９を回すことで支持軸８を回転させることができる。支持軸８は、ハンガー１０を介して２つの鏡筒１１を支持する。ハンガー１０により支持軸８に垂下される双眼の鏡筒１１は、対物レンズから接眼レンズまでの光学系を収納している。
【００１５】
スライド軸４と第２の軸カバー７との間が、アーム６による２関節のアーム機構で接続されることにより、図２に示すように、関節で折り曲げてアーム６を畳むと、鏡筒１１を正視用の状態にすることができる。図１に示す下目使い用の状態は、一例として歯科医が診療時に使用するときに有用な状態で、スライド軸４及びアーム６を一直線状として第２の軸カバー７を傾け、鏡筒１１がおおよそ下斜め４５°を向くようにしている。この下目使いの状態にあると、眼鏡Ｇの正面に鏡筒１１が位置しないので正面を見る視界の邪魔にならず、また、斜め下にある患者の口腔内は、背筋の伸びた良い姿勢のまま拡大鏡１にて拡大視することができる。一方、図２に示す正視用の状態は、正面に拡大対象がある場合に有用な状態で、外科手術のときなどに使用できる。
【００１６】
以下、具体的に、分解図の図３と要部を拡大して示した図４〜図６を参照して各機構を説明する。
【００１７】
図４に示すのは、スライド軸４及び位置調節つまみ５である。
第１の軸カバー３内に軸方向へ往復動作可能に保持されるスライド軸４は、後端側にねじ部４ａを有している。また、当該スライド軸４のねじ部４ａが始まる部分には、１つのキー突起４ｂが形成される。第１の軸カバー３の一部を構成する分解可能な保持片３ａに、キー突起４ｂを差し込むキー溝３ｂが、スライド軸４の軸方向へ伸延して形成されており、これらキー突起４ｂ及びキー溝３ｂによりスライド軸４は、回転が防止されて往復動作可能に保持される。
【００１８】
保持片３ａには、さらに、位置調節つまみ５を保持する２本のクリップ片３ｃが上端部位に形成されている。位置調節つまみ５は、中間部位に、離間した２つのフランジ５ａを有しており、この２つのフランジ５ａの間に、位置調節つまみ５の軸を両側から挟むクリップ片３ｃが位置することによって、位置調節つまみ５が回転可能に保持される。クリップ片３ｃに保持された位置調節つまみ５は、内部に形成された雌ねじ部５ｂがスライド軸４のねじ部４ａと螺合し、位置調節つまみ５を指でつまんで回転させることで、ねじのピッチに従いスライド軸４を往復動作させることができる。スライド軸４の往復動作距離は、片道７ｍｍ程度あればよい。スライド軸４と位置調節つまみ５とが雄ねじと雌ねじの螺合で連結されているので、位置調節つまみ５を回さない限り、鏡筒１１の荷重によってスライド軸４が勝手に動き出すことはない。すなわち、位置調節つまみ５との螺合により、一度決められたスライド軸４の位置は、鏡筒１１の荷重に抗して維持される。
【００１９】
位置調節つまみ５の頭部は、第１の軸カバー３の上方に飛び出して位置するので、位置調節つまみ５を操作する指が視界に入り難い。つまり、操作する手が視界の妨げにならず、眼鏡Ｇを顔にかけたままで簡単に鏡筒１１の位置調節を行うことができる。
【００２０】
第１の軸カバー３は断面Ｌ字形で、折れ曲がって横向きに突出した先端部分がコ字形のアダプター２の間にヒンジ接続されることで、第１の軸カバー３全体が上下方向に回動する。これによりスライド軸４は、眼鏡Ｇを顔にかけたとき、垂直から水平まで約９０°回動する。したがって、例えば図１の下目使い用の状態から第１の軸カバー３の回動により鏡筒１１を上方へ跳ね上げて、視界の邪魔にならないように外すことができる。また、図１に示すように第１の軸カバー３が垂直に近い状態のときに位置調節つまみ５を回転させると、スライド軸４が上下に移動するので、鏡筒１１の上下位置が調節される。一方、第１の軸カバー３を水平状態へ回動させたときに位置調節つまみ５を回転させると、スライド軸４が前後に移動するので、鏡筒１１と眼鏡Ｇとの距離が調節される。
【００２１】
アダプター２は、図３及び図５に示すように、第１の軸カバー３を両脇から挟んでヒンジ接続するコ字形であり、下方に向けて前後２つの嵌合壁２ａが延設されている。なお、図５は、アダプター２の中央部分で見た断面図である。垂下した嵌合壁２ａの内側壁面が嵌合面２ｂとなり、アダプター２を嵌合壁２ａで眼鏡フレームＧ１に嵌合させると、眼鏡フレームＧ１の中央部分に形成された嵌合受け面Ｇ１ａに嵌合面２ｂが密接する。少なくとも一方の嵌合壁２ａの嵌合面２ｂに凸部２ｃが１つ形成され（複数でもよい）、該凸部２ｃと係合する２つの凹部Ｇ１ｂが（３以上でもよい）、嵌合受け面Ｇ１ａにおいて上下方向へ１列に並べて形成されている。なお、これら凹凸の関係は逆でもよい。
【００２２】
アダプター２は、眼鏡フレームＧ１の上方から嵌合受け面Ｇ１ａに嵌め込まれるが、このとき、嵌合受け面Ｇ１ａの上側の凹部Ｇ１ｂに凸部２ｃが係合した位置で留めると、眼鏡Ｇに対して鏡筒１１を通常より高い位置に配置することができる。そして、さらにアダプター２を押し込んで、下側の凹部Ｇ１ｂに凸部２ｃが係合するまで嵌め込むと、図１及び図２に示した通常配置とすることができる。すなわち、スライド軸４の往復動作に加えて、アダプター２の嵌合位置によっても、鏡筒１１の上下位置を調節することができる。また、アダプター２により、拡大鏡１が着脱可能になっているので、眼鏡Ｇに対し、倍率等の仕様の異なる拡大鏡１を交換して使用するような応用が可能である。
【００２３】
図６には、鏡筒１１を固定するハンガー１０と支持軸８との関係を、眼鏡Ｇをかけている人から見た視点で示している。
眼幅方向へ伸延する支持軸８は、第２の軸カバー７に回転可能に保持される。図示のように、支持軸８は、第２の軸カバー７に固定され眼幅方向へ伸延する軸筒７ａ内に収納され、両端部に設けられた間隔調節つまみ９によって回転させられる。軸筒７ａは、両端部が第２の軸カバー７の両端部を貫通して固定され、中央部分が、分解可能な押え片７ｂにより支えられている。
【００２４】
支持軸８の周面には、左右で逆ねじの螺旋溝８ａ，８ｂが形成されている。すなわち、支持軸８において、眼幅方向の中央を境にして左側に一方の螺旋溝８ａが、右側に他方の螺旋溝８ｂが対称に形成されており（眼鏡Ｇをかけている人から見て）、螺旋溝８ａと螺旋溝８ｂとは、互いに逆ねじとして形成してある。この支持軸８を収納する軸筒７ａには、左側の螺旋溝８ａを露出させる、眼幅方向に所定長さの細長い貫通窓７ｃと、右側の螺旋溝８ｂを露出させる、眼幅方向に所定長さの細長い貫通窓７ｄと、が形成されている。
【００２５】
鏡筒１１を固定するハンガー１０は、支持軸８を円周方向に囲繞し、軸筒７ａの外周面を摺動する囲繞部１０ａを有し、この囲繞部１０ａから前方へ延設された固定部１０ｂの先端部分において、鏡筒１１が想定焦点距離に応じた角度でねじ固定される。囲繞部１０ａの後方には、ガイドピン挿入部１０ｃが形成されており、該ガイドピン挿入部１０ｃを通してガイドピン１０ｄがねじ込まれて固定されている。ガイドピン１０ｄは、先端部分が囲繞部１０ａの内側に突出し、軸筒７ａの貫通窓７ｃ，７ｄを通って螺旋溝８ａ，８ｂに緩挿されている。
【００２６】
ガイドピン１０ｄが貫通窓７ｃ，７ｄを貫通することにより、ハンガー１０は、軸筒７ａに対する円周方向の動きが規制されるので、当該方向への回転が防止される。そして、貫通窓７ｃ，７ｄは眼幅方向に延長されているので、ガイドピン１０ｄは、支持軸８が回転すると、先端部分が挿入されている螺旋溝８ａ，８ｂの回転に従い貫通窓７ｃ，７ｄに沿って眼幅方向にスライドする。したがってハンガー１０は、螺旋溝８ａ，８ｂに案内されるガイドピン１０ｄに従って眼幅方向に往復動作する。しかも、螺旋溝８ａ，８ｂは左右で逆ねじになっているので、２つのハンガー１０の間隔は、支持軸８の回転方向に応じて拡開又は縮小する。つまり、ハンガー１０にそれぞれ固定された鏡筒１１は、間隔調節つまみ９の回転に従い離間又は接近して、瞳孔間距離に合わせた調節が行われる。
【００２７】
なお、このようなガイドピン及び貫通窓による回転防止方式の他にも、例えばハンガーの外形を工夫して第２の軸カバーと係止することで回転防止する方式なども考えられるが、滑らかさやがたつきの少なさの点で、本実施形態の方式が優れている。
【００２８】
図示の実施形態によると、支持軸８の両端に間隔調節つまみ９を取り付け、左右のどちらからでも操作できるようにしてあり、操作する指が視界の中に入り難く、眼鏡Ｇを顔にかけたまま操作しても邪魔にならない。また、支持軸８の螺旋溝８ａ，８ｂにガイドピン１０ｄを挿入して案内する構造としたことにより、鏡筒１１に手が当たったりしただけでは鏡筒１１の位置がずれず、調節した位置がキープされる。すなわち、間隔調節つまみ９により支持軸８を回転させてハンガー１０つまり鏡筒１１を移動させるのは容易にできるが、鏡筒１１から力をかけて支持軸８を回転させることは機構的に無理である。
【符号の説明】
【００２９】
１  拡大鏡
２  アダプター
３  第１の軸カバー
４  スライド軸
５  位置調節つまみ
６  アーム
７  第２の軸カバー
８  支持軸
９  間隔調節つまみ
１０  ハンガー
１１  鏡筒
Ｇ  眼鏡
Ｇ１  眼鏡フレーム
【図４】
2011002642.tif 000003
【図５】
2011002642.tif 000004
【図６】
2011002642.tif 000005
【図１】
2011002642.tif 000006
【図２】
2011002642.tif 000007
【図３】
2011002642.tif 000008